(57)【要約】【課題】通学に際して必要となる学用品の忘れ物を人為的な手法によらないで確実に防止することができる忘れ物防止システムを提供すること。【解決手段】情報読取装置１４の制御部３９に設けた比較部３９ａが、送受信部３１を介して受け取って携行品メモリ３３ｂに記録した携行品情報と、指定品メモリ３３ａに記録されている対象日の指定品情報とを比較するので、携行すべき学用品の漏れを事前に判定することができるだけでなく、判定を一律的で確実なものとすることができる。これにより、各生徒の学用品の忘れ物を確実に防止することができ、各生徒の学習効率を高めるとともに、生徒の保護者や教師の負担を低減することができる。【選択図】図１
2007122539.tif 000002
【特許請求の範囲】
【請求項１】
個々の学用品にそれぞれ添付されるとともに当該個々の学用品を特定する情報をそれぞ
れ記憶する複数の情報保持手段の少なくとも１つから、対応する学用品を特定する情報を
、通学に際して携行する携行品を表す携行品情報として読み取る情報読取手段と、
対象日に携行品とすべき学用品のリストに関する情報を指定品情報として記憶する指定
品メモリと、
前記情報読取手段を介して受け取った前記携行品情報と、前記指定品メモリから読み出
した前記指定品情報とを比較する比較手段と
を備える忘れ物防止システム。
【請求項２】
前記情報読取手段によって読み取られた前記携行品情報を逐次記憶する携行品メモリを
さらに備える請求項１記載の忘れ物防止システム。
【請求項３】
前記比較手段は、前記携行品メモリに記憶された前記携行品情報において、前記指定品
メモリに記憶された前記指定品情報と比較して不足する学用品があるか否かを判断する請
求項２記載の忘れ物防止システム。
【請求項４】
前記携行品情報において不足する学用品がある場合に視覚的又は聴覚的な警報を発生す
る報知手段をさらに備える請求項３記載の忘れ物防止システム。
【請求項５】
前記情報読取手段は、前記情報保持手段との間で無線通信を行う請求項１から請求項４
のいずれか一項記載の忘れ物防止システム。
【請求項６】
前記情報保持手段は、無線ＩＣタグを含み、前記情報読取手段は、前記無線ＩＣタグと
の間で電力及び信号をやり取りする所定の回路を含む請求項５記載の忘れ物防止システム
。
【請求項７】
前記指定品メモリに記録された前記指定品情報を書き換える書換手段をさらに備える請
求項６記載の忘れ物防止システム。
【請求項８】
前記書換手段は、外部装置との間で無線通信を行うことによって、当該外部装置からの
無線信号に含まれる学用品のリストに関する前記指定品情報を取り込む請求項７記載の忘
れ物防止システム。
【請求項９】
前記外部装置は、教室の出入り口に配置されるアンテナと、当該アンテナに前記書換手
段の動作に必要な信号を送信する書込装置とを含む請求項８記載の忘れ物防止システム。
【請求項１０】
前記外部装置は、生徒が持ち運び可能なカード状の外形を有し、アンテナに前記書換手
段の動作に必要な信号を送信する書込装置を含む請求項８記載の忘れ物防止システム。
【発明の詳細な説明】
【技術分野】
【０００１】
本発明は、通学に際して必要となる学用品に関する忘れ物を防止するための忘れ物防止
システムに関し、特に、携行すべき学用品の不足を指摘することができる忘れ物防止シス
テムに関する。
【背景技術】
【０００２】
これまで、学用品に関する忘れ物を防止する忘れ物防止システムについては、十分な開
発がなされていない。
【０００３】
なお、従来、無線タグを利用した商品及び顧客の管理システムについて多くの出願がな
されている（例えば特許文献１参照）。
【特許文献１】特開２０００−２４２８６１号公報
【発明の開示】
【発明が解決しようとする課題】
【０００４】
学用品に関する忘れ物を防止することは、学校教育の効率的運用を図る上で大切なこと
である。しかしながら、学用品の忘れ物を防止する手段は、教師や家庭に任されており、
もっぱら人為的な手法により解決が図られている。具体的には、例えば時間割表や連絡帳
を生徒が事前に確認しながら持ち物を準備することが行われているが、このような人為的
な手法は、チェック漏れが生じやすく十分に機能していない場合が多いというのが実情で
ある。
【０００５】
そこで、本発明は、通学に際して必要となる学用品の忘れ物を人為的な手法によらない
で確実に防止することができる忘れ物防止システムを提供することを目的とする。
【課題を解決するための手段】
【０００６】
上記課題を解決するため、本発明に係る忘れ物防止システムは、（ａ）個々の学用品に
それぞれ添付されるとともに当該個々の学用品を特定する情報をそれぞれ記憶する複数の
情報保持手段の少なくとも１つから、対応する学用品を特定する情報を、通学に際して携
行する携行品を表す携行品情報として読み取る情報読取手段と、（ｂ）対象日に携行品と
すべき学用品のリストに関する情報を指定品情報として記憶する指定品メモリと、（ｃ）
情報読取手段を介して受け取った携行品情報と、指定品メモリから読み出した指定品情報
とを比較する比較手段とを備える。
【０００７】
上記忘れ物防止システムでは、比較手段が、情報読取手段を介して受け取った携行品情
報と指定品メモリから読み出した指定品情報とを比較するので、携行すべき学用品の漏れ
を事前に判定することができるだけでなく、判定を一律的で確実なものとすることができ
る。つまり、各生徒の学用品の忘れ物を確実に防止することができる。
【０００８】
本発明の具体的な態様又は観点によれば、上記忘れ物防止システムにおいて、情報読取
手段によって読み取られた携行品情報を逐次記憶する携行品メモリをさらに備える。この
場合、対象となる学用品について携行品情報を一回確認するだけで携行品メモリに保持す
ることができ、携行品情報を常時チェックする必要がなくなり、携行品情報のチェックを
簡便化することができる。
【０００９】
また、本発明の別の態様では、比較手段が、携行品メモリに記憶された携行品情報にお
いて、指定品メモリに記憶された指定品情報と比較して不足する学用品があるか否かを判
断する。この場合、不足する学用品が何かを直接判断することができ、忘れ物の予防を確
実にできる。
【００１０】
本発明の別の態様では、携行品情報において不足する学用品がある場合に視覚的又は聴
覚的な警報を発生する報知手段をさらに備える。この場合、生徒や父母等であるユーザの
注意を喚起して忘れ物を未然に防止できる。
【００１１】
本発明の別の態様では、情報読取手段が、情報保持手段との間で無線通信を行う。この
場合、非接触で忘れ物チェックを行うことができ、ユーザにとってのチェック作業の容易
化を図ることができる。
【００１２】
本発明の別の態様では、情報保持手段が、無線ＩＣタグを含み、情報読取手段が、無線
ＩＣタグとの間で電力及び信号をやり取りする所定の回路を含む。この場合、小型であり
ながら正確で確実な情報通信が可能になり、学用品の出し入れ等の妨げになることなく通
常の取り扱いができる簡易な忘れ物チェックを実現することができる。
【００１３】
本発明の別の態様では、指定品メモリに記録された指定品情報を書き換える書換手段を
さらに備える。この場合、対象日における学用品のリストに変更を加えたり、対象日やリ
ストを追加することができる。
【００１４】
本発明の別の態様では、書換手段が、外部装置との間で無線通信を行うことによって、
当該外部装置からの無線信号に含まれる学用品のリストに関する指定品情報を取り込む。
この場合、外部装置から遠隔的に書換手段を動作させて指定品メモリの指定品情報を書き
換えることができる。
【００１５】
本発明の別の態様では、外部装置が、教室の出入り口に配置されるアンテナと、当該ア
ンテナに書換手段の動作に必要な信号を送信する書込装置とを含む。この場合、生徒が教
室から出る際に、指定品メモリの指定品情報を自動的に書き換えることができる。
【００１６】
本発明の別の態様では、外部装置が、生徒が持ち運び可能なカード状の外形を有し、ア
ンテナに書換手段の動作に必要な信号を送信する書込装置を含む。この場合、カード状の
外部装置を生徒に直接的又は間接的に手渡すことによって、指定品メモリの指定品情報を
自動的に書き換えることができる。
【発明を実施するための最良の形態】
【００１７】
〔第１実施形態〕
図１は、本発明の第１実施形態に係る忘れ物防止システムの利用方法を説明する斜視図
である。
【００１８】
図１において、通学用鞄１０は、通学に際して携行する携行品すなわち当日必要な学用
品２０を収納するものであり、これらの学用品２０は、教科書、ノート等の各種書類２１
を含む。通学用鞄１０には、この通学用鞄１０に収納される携行品をチェックするための
情報読取装置１４が取り付けられている。また、各学用品２０には、個々の書類２１等を
特定する識別情報をそれぞれ記憶するシート状又はラベル状の情報保持装置２４が添付さ
れている。情報読取装置１４は、情報保持装置２４に記録された情報のうち必要な識別情
報等を無線で読み取ることができるようになっており、情報保持装置２４は、情報読取装
置１４からの指令信号等に応じて要求された応答動作を行う。具体的に説明すると、情報
読取装置１４は、無線ＩＣタグ用のリーダ装置であり、情報保持装置２４は、無線ＩＣタ
グである。
【００１９】
なお、図示の場合、通学用鞄１０としてランドセル状のものを例示しているが、通学用
鞄１０は種々のタイプがあり、これに取り付けるべき情報読取装置１４は、多様な通学用
鞄１０にあわせて取り付け位置を適宜調整することができ、例えば通学用鞄１０の取っ手
やストラップからつり下げるようにして取り付けることもできる。また、図示の場合、学
用品２０として書類２１を例示しているが、学用品には、作図用具、運動用具、図工用品
等も含まれており、これらの用具・用品を収納するバッグ、ケース等に情報保持装置２４
を貼り付けることができる。
【００２０】
図２は、情報読取装置１４の構造を説明するブロック図である。情報読取装置１４は、
図１の情報保持装置２４との間で無線信号のやり取りを行う送受信部３１と、対象日に携
行すべき指定品情報を記憶するメモリ３３と、操作に必要な情報や不足する学用品２０等
を表示する表示器３５と、不足する学用品２０がある場合に警報を発生する警報ブザー３
６と、生徒等のユーザが操作するキー３７と、全体の動作を制御する制御部３９とを含む
。
【００２１】
送受信部３１は、アンテナとリーダ回路とを備える無線通信用の情報読取手段であり、
アンテナから一定距離範囲内で離れた位置にある学用品２０に貼り付けられた情報保持装
置２４に電力を供給するとともに、情報保持装置２４と交信して必要な識別情報等を受け
取ることができる。このような識別情報は、個々の学用品２０を具体的に特定するための
情報を含んでおり、個々の学用品２０の種類等を識別することができるようなコード形式
で情報保持装置２４に保管されている。
【００２２】
メモリ３３は、集積回路で構成され書込可能な不揮発性記憶素子を有している。メモリ
３３は、対象日に携行品とすべき学用品２０のリストに関する情報を指定品情報として記
憶する指定品メモリ３３ａと、送受信部３１によって実際に読み取った学用品２０の識別
情報すなわち携行品を表す携行品情報を記憶する携行品メモリ３３ｂとを備える。
【００２３】
指定品情報は、例えば対象日にある教科の単元情報に基づいて定まる基本的な学用品の
種別と、教師が対象日の教科用に追加した学用品の種別とを含むものとなっている。この
指定品情報は、学用品の種類等を識別するためのコードで構成される。なお、教科の対象
日とは、指定品情報を読み出す時間帯が夜の場合（例えば、学校が終わる時間から２３時
５９分）は翌日を意味し、指定品情報を読み出す時間帯が朝の場合（例えば、０時から学
校が終わる時間）は当日を意味する。指定品メモリ３３ａには、対象日の指定品情報すな
わち指定品リストのみを記憶させることもできるが、一週間単位、一ヶ月単位、一学期単
位等の複数の対象日ごとの指定品リストをまとめて記憶させることもできる。この場合、
一週間単位、一ヶ月単位、一学期単位等のように複数の対象日における指定品リストを記
憶させる場合、教師等は、詳細は後述するが、対象日に至る前段階でいずれかの教科用に
必要と考える学用品を追加したり不要と考える学用品を削除することができる。
【００２４】
携行品情報は、送受信部３１によって読み取った学用品２０の種類等を識別するための
コードを蓄積したものとなっている。つまり、携行品メモリ３３ｂには、送受信部３１に
よって学用品２０をチェックしながら通学用鞄１０に詰め込むごとに学用品２０の識別情
報すなわちコード情報が蓄積され、現時点で通学用鞄１０に入っている学用品２０の携行
品リストが記憶される。
【００２５】
表示器３５は、ランプやディスプレイとこれらの駆動回路とを有する表示素子であり、
制御部３９からのコマンドに基づいて必要なタイミングで必要な表示を行う。表示器３５
は、情報読取装置１４の現在状態として、例えば情報読取装置１４のチェックを終了して
通学用鞄１０に収納した学用品２０すなわち携行品メモリ３３ｂに記録された携行品情報
を表示させることができ、或いは、指定品メモリ３３ａに記録された指定品情報と携行品
メモリ３３ｂに記録された携行品情報とを比較して不足するものを忘れ物情報として表示
することができる。さらに、表示器３５は、不足する学用品２０がある場合に、赤色等の
目立つ色彩のランプを点滅させてユーザに忘れ物の存在を報知する報知手段としても機能
する。なお、表示器３５は必須のものではない。すなわち、後述する警報ブザー３６が存
在する場合、警報ブザー３６によって学用品が不足することを知らせることができるので
、表示器３５を省略することができる。
【００２６】
警報ブザー３６は、スピーカ及び駆動回路を有する音声型の報知手段であり、制御部３
９からのコマンドに基づいて必要なタイミングで警告音を発生する。つまり、指定品メモ
リ３３ａに記録された指定品情報と携行品メモリ３３ｂに記録された携行品情報とを比較
して不足する学用品２０ある場合に、警報ブザー３６が鳴って、ユーザに忘れ物の存在を
聴覚的に報知する。
【００２７】
キー３７は、ユーザが操作するスイッチ等からなり、制御部３９に信号を出力する。ユ
ーザは、キー３７を操作することによって、メモリ３３に記録された指定品情報と携行品
情報とを比較する動作を開始させることができ、或いは、警報ブザー３６の動作を停止さ
せることができる。
【００２８】
制御部３９は、ロジック回路、マイコンチップ等からなる集積回路である。制御部３９
は、送受信部３１やメモリ３３との間で通信を行って、送受信部３１によって読み取った
学用品２０を携行品情報としてメモリ３３の携行品メモリ３３ｂの携行品リストに追加保
管する。また、制御部３９は、比較手段として機能する比較部３９ａを有しており、この
比較部３９ａによって、メモリ３３の指定品メモリ３３ａに保管された指定品リストと、
携行品メモリ３３ｂに保管された携行品リストとを比較して、不足する携行品をチェック
することができる。さらに、制御部３９は、書換手段としても機能し、送受信部３１から
メモリ３３の書換やリセットに対応するコマンドを受けたときには、指定品メモリ３３ａ
中の指定品リストの書換やリセットを行い、或いは携行品メモリ３３ｂ中の携行品リスト
の書換やリセットを行う。
【００２９】
図３は、個々の学用品２０に添付されている情報保持装置２４の内部構造を説明するブ
ロック図である。情報保持装置２４は、無線ＩＣタグからなる情報保持手段として、無線
回路とを備える送受信部４１と、この情報保持装置２４を貼り付けた学用品２０の種類等
を識別するための識別情報を記憶するメモリ４３と、送受信部４１及びメモリ４３間に配
置されるロジック回路４９とを備える。
【００３０】
送受信部４１は、アンテナと付属回路とを備える無線交信手段であり、図２の情報読取
装置１４に設けた送受信部３１から電力供給を受けるとともに、送受信部３１と交信して
必要な情報を送ることができる。
【００３１】
メモリ４３は、読取専用記憶素子や不揮発性記憶素子で構成され、学用品２０を特定す
る識別情報と、学用品２０の持ち主を特定する所有者情報とを記憶する。前者の識別情報
は、情報保持装置２４を添付した学用品２０の種類等を識別することができるようなコー
ド情報を含んで構成される。後者の所有者情報は、情報保持装置２４が名前ラベルを兼ね
るように機能させるような使用を可能にする。
【００３２】
ロジック回路４９は、送受信部４１やメモリ４３との間で通信を行って、送受信部４１
が受けたコマンドがメモリ４３に保管されたコード情報の読み出しを要求するものである
場合、メモリ４３から読み取ったコード情報を送受信部４１に送信する。送受信部４１は
、ロジック回路４９から受けたコード情報を、情報読取装置１４の送受信部３１に対して
無線で送信する。
【００３３】
図４は、図１〜図３に示す忘れ物防止システムのうち主に情報読取装置１４の動作を説
明するフローチャートである。なお、以下の動作は、生徒が下校する際に情報読取装置１
４の指定品メモリ３３ａに対して指定品リストが書き込まれていることを前提とする。指
定品メモリ３３ａの指定品リスト等に対するデータ書込については、図５及び図６に関連
して説明する。
【００３４】
まず、情報読取装置１４において、制御部３９は、送受信部３１を介して個々の学用品
２０に添付されている情報保持装置２４の検出を試みて、情報保持装置２４からコード情
報を読み取ることができたか否かを判断する（ステップＳ１１）。つまり、情報読取装置
１４の送受信部３１からの無線信号に応答して、情報保持装置２４の送受信部４１がコー
ド情報を返信してきた場合、学用品２０を特定することができたとして次のステップに進
むことができる。なお、生徒等であるユーザが学用品２０を情報読取装置１４にかざすこ
とによって、情報読取装置１４は、情報保持装置２４すなわち学用品２０のコード情報を
読み取ることができる。
【００３５】
情報保持装置２４からコード情報を読み取ることができた場合、制御部３９は、送受信
部３１を介して取り込んだコード情報を携行品メモリ３３ｂに追加するように保存するこ
とによって、携行品メモリ３３ｂに携行品情報を蓄積する（ステップＳ１２）。
【００３６】
次に、制御部３９は、キー３７を介して携行品のチェック要求があったか否かを判断す
る（ステップＳ１３）。生徒等であるユーザが必要な学用品を通学用鞄１０にすべて詰め
込んだと判断した場合、ユーザがキー３７を操作して携行品のチェックを要求する。この
チェック要求があった場合、このステップＳ１３でＹＥＳと判断される。一方、このチェ
ック要求がなかった場合、ステップＳ１１に戻って、情報保持装置２４からコード情報を
読み取ることができたか否かを判断する。
【００３７】
キー３７の操作による忘れ物のチェック要求があった場合、制御部３９は、忘れ物すな
わち不足する携行品をチェックする（ステップＳ１４）。具体的には、制御部３９が、メ
モリ３３の指定品メモリ３３ａに保管された指定品リストと、携行品メモリ３３ｂに保管
された携行品リストとを比較して、不足する携行品があるか否かを判断し、不足する携行
品がある場合、忘れ物の存在やそのリストをメモリ３３に保管等する。
【００３８】
次に、ステップＳ１４のチェック結果が忘れ物有りであるか否かに応じて処理を変更す
る（ステップＳ１５）。ステップＳ１５で忘れ物有りと判断された場合、制御部３９は、
警報ブザー３６に警告音を発生させて、ユーザに忘れ物の存在を報知する（ステップＳ１
６）。この際、制御部３９は、表示器３５のランプを例えば赤色に点滅させて、ユーザに
忘れ物の存在を報知することもできる。さらに、制御部３９は、ステップＳ１４で得た不
足する携行品を忘れ物情報としてディスプレイに表示させることもできる。一方、ステッ
プＳ１５で忘れ物無しと判断された場合、制御部３９は、警報ブザー３６に軽快な音を発
生させて、ユーザに忘れ物がないことを知らせる（ステップＳ１７）。この際、制御部３
９は、表示器３５のランプを例えば緑色に点灯させて、ユーザに持ち物の不足が無いこと
を報知することもできる。
【００３９】
図５は、図１等に示す忘れ物防止システムを利用して通学する対象である教室ＲＭを示
す図である。教室の出入り口ＩＯには、ゲート状のアンテナである電磁ゲート５０が設け
られている。この電磁ゲート５０を生徒が通過する際に、図１に示す通学用鞄１０に設け
た情報読取装置１４の存在がチェックされ、情報読取装置１４に対して必要な情報の書換
が非接触で行われる。具体的には、不図示の外部装置の制御下で動作する電磁ゲート５０
によって、情報読取装置１４に設けた指定品メモリ３３ａに記録された指定品情報である
対象日の指定品リストに対して新たな書き込みを行ったり、以上のような指定品リストに
対して授業の進度に応じた修正を加える。つまり、情報読取装置１４の保管された指定品
リストに対して指定品を追加したり、特定の指定品を削除したりする。
【００４０】
図６は、情報読取装置１４の書換を行うための外部装置である書込システム６０を概念
的に説明するブロック図である。書込システム６０は、図５に示す電磁ゲート５０と、図
２に示す情報読取装置１４に対する書込装置であるリーダ／ライタ装置６３と、リーダ／
ライタ装置６３の動作を制御するコンピュータ６５とを備える。
【００４１】
リーダ／ライタ装置６３は、書込装置であり、電磁ゲート５０を介して、電磁ゲート５
０を通過する通学用鞄１０に設けた情報読取装置１４と交信して対象日の指定品情報や、
携行品の追加・削除に関する情報（以下、書込データ）を送信することができる。情報読
取装置１４では、書換手段である制御部３９が書込システム６０から受信した書込データ
に基づいて指定品メモリ３３ａの指定品リストの書換を行う。なお、コンピュータ６５は
、教師等が操作するものであり、単に書込データを準備するだけでなく、適当なアプリケ
ーションソフトを利用して、情報読取装置１４に送信すべき指定品情報や、携行品の追加
・削除に関する情報を編集することができ、これらの情報を年単位でストックすることが
できる。これにより、各教科の単元に応じた適切な持ち物を過去の経験等に基づいて予め
設定することができ、単元の進行状況や教師の工夫に応じて生徒の持ち物に対する修正を
加えることができる。
【００４２】
図７は、図６の書込システム６０の変形例を説明する図である。携帯装置１６０は、生
徒や教師が欠席した生徒に届けることができるカード状の装置である。この携帯装置１６
０は、無線ＩＣタグと同様の機能を有する装置として、アンテナと付属回路とを備える無
線通信用の送受信部１４１と、情報読取装置１４に書き込むべき書込データを保持するメ
モリ１４３と、送受信部１４１及びメモリ１４３間に配置されるロジック回路１４９とを
備える。携帯装置１６０を欠席した生徒が所持する情報読取装置１４に近づけると、書込
装置であるロジック回路１４９は、情報読取装置１４の送受信部３１から電力供給を受け
るとともに、送受信部３１と交信して必要な情報を送ることができる。送られたデータは
情報読取装置１４の携行品メモリ３３ａに格納される。情報読取装置１４に送信される情
報すなわち書込データには、対象日（つまり翌日）の指定品情報や、携行品の追加・削除
に関するが含まれる。なお、図７の携帯装置１６０へのデータの書込は、図６の書込シス
テム６０と同様のシステムを利用することで可能になる。
【００４３】
以上説明した実施形態の忘れ物防止システムによれば、情報読取装置１４の制御部３９
に設けた比較部３９ａが、送受信部３１を介して受け取って携行品メモリ３３ｂに記録し
た携行品情報と、指定品メモリ３３ａに記録されている対象日の指定品情報とを比較する
ので、携行すべき学用品の漏れを事前に判定することができるだけでなく、判定を一律的
で確実なものとすることができる。これにより、各生徒の学用品の忘れ物を確実に防止す
ることができ、各生徒の学習効率を高めるとともに、生徒の保護者や教師の負担を低減す
ることができる。
【００４４】
この発明は、上記の実施形態に限られるものではなく、その要旨を逸脱しない範囲にお
いて種々の態様において実施することが可能であり、例えば次のような変形も可能である
。すなわち、上記実施形態では、情報読取装置１４が情報保持装置２４に記録された識別
情報を無線で読み取っているが、情報の読み取りは無線に限られない。例えば情報保持装
置２４に磁気的手法や光学的手法で記録された情報を同様の手法で接触式或いは非接触式
で読み取ることとすることもできる。
【００４５】
また、電磁ゲート５０に設けるアンテナは、設置状態に適合させて任意の形状とするこ
とができ、例えばゲート状、アーチ状、ロッド状、ループ状等の各種形状とすることがで
きる。送受信部３１に設けるアンテナも同様に、取付状態に適合させて任意の形状とする
ことができる。
【図面の簡単な説明】
【００４６】
【図１】実施形態に係る忘れ物防止システムの利用方法を説明する斜視図である。
【図２】情報読取装置の構造を説明するブロック図である。
【図３】情報保持装置の内部構造を説明するブロック図である。
【図４】図１等に示す忘れ物防止システムの動作を説明するフローチャートである。
【図５】忘れ物防止システムを利用して通学する教室を示す図である。
【図６】情報読取装置の書込を行う書込システムを説明するブロック図である。
【図７】情報読取装置の書込を行う書込用カードを説明するブロック図である。
【符号の説明】
【００４７】
１０…通学用鞄、  １４…情報読取装置、  ２０…学用品、  ２１…書類、  ２４…情
報保持装置、  ３１…送受信部、  ３３…メモリ、  ３３ａ…指定品メモリ、  ３３ｂ…
携行品メモリ、  ３５…表示器、  ３６…警報ブザー、  ３７…キー、  ３９…制御部、
３９ａ…比較部、  ４１…送受信部、  ４３…メモリ、  ４９…ロジック回路、  ５０
…電磁ゲート、  ６０…書込システム、  ６３…リーダ／ライタ装置、  ６５…コンピュ
ータ
【図１】
2007122539.tif 000003
【図２】
2007122539.tif 000004
【図３】
2007122539.tif 000005
【図４】
2007122539.tif 000006
【図５】
2007122539.tif 000007
【図６】
2007122539.tif 000008
【図７】
2007122539.tif 000009